(57)【特許請求の範囲】
【請求項１】
本体内に構成された陳列室の前面開口を、透視可能な扉により開閉自在に閉塞して成るショーケースにおいて、
前記扉に設けられた透光性の看板と、
前記本体に設けられ、前記扉が前記陳列室の開口を閉じた状態で前記看板の後方に対応するよう配置された照明装置とを備え、
該照明装置は、前記本体の天面上に設けられており、前記看板は前記扉より上方に延在して設けられていることを特徴とするショーケース。
【請求項２】
前記照明装置は、蛍光灯であることを特徴とする請求項１に記載のショーケース。
【請求項３】
前記看板は、前記扉に交換可能に取り付けられ、当該扉より上方に延在する扉装飾カバーに設けられていることを特徴とする請求項１又は請求項２に記載のショーケース。
【請求項４】
前記陳列室内を所定温度に冷却する冷却装置を備えたことを特徴とする請求項１乃至請求項３のうちの何れかに記載のショーケース。
【発明の詳細な説明】
【技術分野】
【０００１】
本発明は、陳列室の前面開口を透視可能な扉にて開閉自在に閉塞して成るショーケースに関するものである。
【背景技術】
【０００２】
従来よりこの種ショーケースは、本体内に構成した陳列室内に飲料や食品等の商品を収納して陳列し、陳列室内は冷凍装置により所定温度に冷却すると共に、陳列室の前面開口は透視可能なガラス扉にて開閉自在に閉塞している。
【０００３】
また、商品の販売効果を向上させるために、この種ショーケースには天面上に商品の広告を行うための看板が設けられる。この看板は透光性の樹脂板等に商品名や商品の写真、イラスト等の広告を印刷したものであり、後方から蛍光灯等の照明装置によって照明を当てることで広告を浮き上がらせ、顧客に対して商品をアピールするものであった（例えば、特許文献１参照）。
【先行技術文献】
【特許文献】
【０００４】
【特許文献１】特開２００３−４３９７２号公報
【発明の概要】
【発明が解決しようとする課題】
【０００５】
従来では前記公報の如く看板は本体に設けられていたが、看板を扉に設ける場合、照明装置も扉に設けなければならず、本体から扉に渡る配線が必要となって扉の組み付け作業等が煩雑となる問題があった。また、扉は開閉されるものであるため、本体と照明装置との間で断線が発生する危険性もあった。
【０００６】
本発明は、係る従来の技術的課題を解決するために成されたものであり、照明装置にて照明される透光性の看板を扉に設ける場合にも、照明装置のための配線の必要のないショーケースを提供するものである。
【課題を解決するための手段】
【０００７】
上記課題を解決するために、本発明のショーケースは、本体内に構成された陳列室の前面開口を、透視可能な扉により開閉自在に閉塞して成るものであって、扉に設けられた透光性の看板と、本体に設けられ、扉が陳列室の開口を閉じた状態で看板の後方に対応するよう配置された照明装置とを備え、この照明装置は、本体の天面上に設けられており、看板は扉より上方に延在して設けられていることを特徴とする。
【０００８】
請求項２の発明のショーケースは、上記において照明装置は、蛍光灯であることを特徴とする。
【０００９】
請求項３の発明のショーケースは、上記各発明において看板は、扉に交換可能に取り付けられ、当該扉より上方に延在する扉装飾カバーに設けられていることを特徴とする。
【００１０】
請求項４の発明のショーケースは、上記各発明において陳列室内を所定温度に冷却する冷却装置を備えたことを特徴とする。
【発明の効果】
【００１１】
本発明は、本体内に構成された陳列室の前面開口を、透視可能な扉により開閉自在に閉塞して成るショーケースにおいて、扉に透光性の看板を設けると共に、扉が陳列室の開口を閉じた状態で看板の後方に対応する照明装置を本体に設けたので、透光性の看板に後方から照明を当てて高い広告効果を発揮させながら、照明装置のための扉と本体間の配線を廃止することができるようになり、扉の組み付け作業性を改善し、また、断線故障の発生も防止することが可能となる。
【００１２】
また、看板は扉側、照明装置は本体側に位置することで、看板と照明装置とは所定の距離を隔てて離間するかたちとなる。これにより、例えば請求項２の如く照明装置として蛍光灯を用いた場合にも、看板の明るさの不均一を低減することができるようになり、照明装置を構成する光源の選択肢が広がるものである。
【００１３】
特に、本発明では照明装置を本体の天面上に設け、看板を扉より上方に延在して設けているので、本体の側方や下方に設ける場合に比して広告効果も向上し、ショーケースそのものの外観も良好となる。また、照明装置は陳列室外に位置することになるので、請求項４の如く冷却装置によって陳列室内を所定温度に冷却する所謂低温ショーケースであっても、照明装置から発生する熱が陳列室内の冷却効果に悪影響を及ぼすことが無い。
【００１４】
また、請求項３の発明の如く扉装飾カバーを扉に交換可能に取り付ければ、扉装飾カバーを交換することで既存のショーケースの外観を極めて容易に変更することができるようになることに加え、この扉装飾カバーに看板を設けて扉より上方に延在させることにより、扉と看板の不連続感も生じることが無くなり、著しい販売促進効果が見込めるようになるものである。
【図面の簡単な説明】
【００１５】
【図１】本発明を適用した一実施例のショーケースの斜視図である。
【図２】図１の状態から各装飾カバーを取り外した状態のショーケースの斜視図である。
【図３】図１のショーケースの分解斜視図である。
【図４】図１のショーケースの縦断側面図である。
【発明を実施するための形態】
【００１６】
以下、本発明の実施の形態について、図面を参照しながら詳細に説明する。実施例のショーケースＳは、飲料や食品等の商品を冷却しながら陳列販売するための所謂低温ショーケースであり、本体１を構成する縦長矩形状の断熱箱体２内に前面が開口した陳列室３が構成されている。この陳列室３の開口は、例えば向かって右側（一側）上下を回動自在に本体１に枢支された扉４により開閉自在に閉塞されている。
【００１７】
この扉４は周囲の金属製扉枠（サッシュ）６と、この扉枠６の内方に嵌め込まれた複層透明ガラス板７とから成り、このガラス板７を通して外部より陳列室３内部が透視可能とされている。また、扉４の向かって左側（非枢支側）の扉枠６には、扉４を開閉するための把手５が設けられている。
【００１８】
断熱箱体２の下側（陳列室３の外側）である本体１の下部には機械室８が構成されており、この機械室８内に冷却装置Ｒの冷媒回路を構成する図示しない圧縮機や凝縮器９、図示しない凝縮器用送風機等が設置されている。尚、機械室８は前面が開口している。
【００１９】
一方、陳列室３内には商品陳列用の棚１１が複数段架設されている。また、断熱箱体２内の背面及び底面には、間隔を存して仕切板１２及び１３が設けられており、各仕切板１２及び１３と断熱箱体２との間に、相互に連通した背面ダクト１４及び底面ダクト１６が構成され、陳列室３はこれら仕切板１２及び１３の内側に構成されたかたちとされている。
【００２０】
また、背面の仕切板１２の上端と断熱箱体２間は背面ダクト１４に連通した冷気吹出口１７、底面の仕切板１３の前端と断熱箱体２間は底面ダクト１６に連通した冷気吸込口１８とされている。断熱箱体２の底壁には相互に前後に位置する連通孔１９、２１が貫通形成されており、連通孔１９と２１間において仕切板１３から垂下する隔壁１３Ａにより、底面ダクト１６は前後に仕切られている。
【００２１】
更に、断熱箱体２の底壁には、連通孔１９、２１に対応して断熱性の冷却箱２２が外側から取り付けられ、機械室８内に位置している。この冷却箱２２内には冷却装置Ｒの冷媒回路を構成する冷却器２３と冷気循環用送風機２４が収納されており、冷却器２３によって冷却箱２２内は連通孔１９側と連通孔２１側とに区画されている。これにより、陳列室３−冷気吸込口１８−底面ダクト１６−連通孔１９−冷気循環用送風機２４（冷却箱２２内）−冷却器２３（冷却箱２２内）−連通孔２１−底面ダクト１６−背面ダクト１４−冷気吹出口１７−陳列室３と渡る一連の冷気通路が構成されている。
【００２２】
そして、実施例では本体１の左右側面及び天面、機械室８の前面及び扉４の外面に、何れも硬質合成樹脂から成る側面装飾カバー２６、２７、天面装飾カバー２８、機械室装飾カバー２９及び扉装飾カバー３１がそれぞれ取り付けられている。この場合、側面装飾カバー２６、２７は本体１の左右側面を覆うように本体１に交換可能（ネジ止め）に取り付けられ、天面装飾カバー２８は本体１の天面を覆うように本体１に交換可能（ネジ止め）に取り付けられている。また、機械室装飾カバー２８は機械室８の前面開口を開閉可能に閉じるように本体１に着脱自在（交換可能）に取り付けられており、これら装飾カバー２６〜２８は本体１の一部を構成する。
【００２３】
この場合、機械室装飾カバー２９には開口２９Ａが形成され、この開口２９Ａに対応して機械室装飾カバー２９には、ルーバ３２とメッシュ部３３とを一体に備えたフィルタ３５が着脱可能に取り付けられている。尚、図３の３４は凝縮器９の前側に対応した開口を有するグリル板であり、前記凝縮器用送風機の運転により開口２９Ａからフィルタ３５を経て吸引された外気を、効率的良く凝縮器９に通風させる機能を奏する。
【００２４】
また、天面装飾カバー２８内の前部には、本体１の天面上に位置して本発明の照明装置を構成する蛍光灯３６が配置され、本体１の天面又は天面装飾カバー２８の内面に取り付けられている。この蛍光灯３６の配線は本体１の天面装飾カバー２８内、若しくは、機械室８内に設置された電源に接続されて給電される。係る蛍光灯３６の直前に位置する天面装飾カバー２８の前面は、透明、若しくは、所定の着色が施されて且つ光が通過可能な透光板３７とされており、蛍光灯３６からの光はこの透光板３７を通過して前方に照射されるよう構成されている。
【００２５】
また、扉装飾カバー３１は扉４の外面を覆うように扉枠６に交換可能（ネジ止め）に取り付けられている。この場合、扉装飾カバー３１は扉枠６を前方から間隔を存して隠蔽する透視不能な枠装飾部３１Ａと、その内方でガラス板７の前方に間隔を存して位置する透視可能なガラス装飾部３１Ｂとから成る。
【００２６】
そして、ガラス装飾部３１Ｂの平断面は、中央が前方に突出して両端部が後退した湾曲形状とされ、前方から陳列室３内を見た場合に商品陳列がより立体的に見えるように配慮されている。このようにショーケースＳの本体１及び扉４に各装飾カバー２６〜２９、３１を交換可能に取り付けているので、設置場所や使用目的、陳列商品に応じてそれらを交換することで、ショーケースＳの意匠を容易に変更することができるようになり、販売効果の著しい改善を図ることができるようになる。
【００２７】
ここで、実施例では扉装飾カバー３１の枠装飾部３１Ａが扉４よりも上方に延在し、その上側の左右辺が天面装飾カバー２８の前側に位置しており、この枠装飾部３１Ａの上部（上側の左右辺）の前部に透光性の看板３８が交換可能に設けられている。尚、看板３８もガラス装飾部３１Ｂと同様に湾曲して取り付けられ、ガラス装飾部３１Ｂの上部は係る看板３８の前面まで覆っている。この看板３８には陳列室３内に陳列している商品の名称や写真、イラスト、キャッチフレーズ等の広告が印刷されている。また、看板３８は扉４が陳列室３の前面開口を閉じた状態で天面装飾カバー２８の前方に位置し、蛍光灯３６は看板３８の後方に所定の間隔を存して対応する。尚、３９は看板３８の後側に位置して枠装飾部３１Ａに取り付けられた透光性の透光板である。
【００２８】
以上の構成で、冷却装置Ｒ及び各送風機が運転されると、冷却器２３と熱交換した冷気は冷気循環用送風機２４により連通孔２１から底面ダクト１６に入り、背面ダクト１４を上昇して冷気吹出口１７から陳列室３内に吹き出される。この陳列室３内を循環して各棚１１上の商品を冷却した冷気は、冷気吸込口１８から吸い込まれ、底面ダクト１６を経て連通孔１９から再び冷気循環用送風機２４に吸い込まれる。これにより、陳列室３内に陳列された商品は所定の温度に冷却される。
【００２９】
また、前記凝縮器用送風機も運転され、機械室装飾カバー２９の開口２９Ａからは外気が吸引される。吸引された外気はフィルタ３５のメッシュ部３３にて塵埃を除去され、且つ、ルーバ３２にて風向が決められた後、凝縮器９及び機械室８内の圧縮機等に通風されてそれらを空冷する。
【００３０】
一方、蛍光灯３６も点灯される。扉４が閉じた状態で、この蛍光灯３６から発せられた光は図４で矢印で示すように拡散しながら透光板３７、３９を経てその前方の看板３８に至り、当該看板３８を後方から照らし出す。それにより、陳列室３内に陳列された商品等に関する所定の広告効果を発揮する。
【００３１】
ここで、看板３８を扉４側に設けて当該看板３８用の蛍光灯等も扉４側に取り付けた場合、蛍光灯に給電するための配線を本体１と扉４間に渡って設けなければならない。その場合は、扉４のヒンジ内を通して配線することになるので、扉４の本体１への組み付け作業が極めて面倒になると共に、扉４の開閉によって断線する危険性も大きい。
【００３２】
しかしながら、前述した如く本発明では、扉４に透光性の看板３８を設け、扉４が陳列室３の開口を閉じた状態で看板３８の後方に対応する蛍光灯３６を本体１に設けているので、透光性の看板３８に後方から照明を当てて高い広告効果を発揮させながら、蛍光灯３６のための前述の如き扉４と本体１間の配線を廃止することができるようになり、扉４の組み付け作業性を改善し、また、断線故障の発生も防止することが可能となる。
【００３３】
また、看板３８は扉４側、蛍光灯３６は本体１側に位置することで、看板３８と蛍光灯３６とは所定の距離を隔てて離間するかたちとなる。これにより、実施例のように照明装置として蛍光灯３６を用いた場合にも、看板３８の明るさの不均一を低減することができるようになり（看板３８の直ぐ後ろから蛍光灯で照明した場合、どうしても蛍光灯の部分のみ明るくなり、周辺は暗くなってしまう）、照明装置を構成する光源の選択肢も広がる。
【００３４】
また、実施例では蛍光灯３６を本体１の天面上に設け、看板３８を扉４より上方に延在して設けているので、本体１の側方や下方に設ける場合に比して広告効果も向上し、ショーケースＳそのものの外観も良好となる。また、蛍光灯３６は陳列室３外に位置することになるので、冷却装置Ｒによる陳列室３内の冷却効果に蛍光灯３６から発生する熱が悪影響を及ぼすことが無くなる。
【００３５】
また、実施例では扉装飾カバー３１を扉４に交換可能に取り付けているので、扉装飾カバー３１を交換することで既存のショーケースＳの外観を極めて容易に変更することができるようになることに加え、この扉装飾カバー３１の枠装飾部３１Ａの上部に看板を設けて扉４より上方に延在させているので、扉４と看板３８の不連続感も生じることが無くなり、著しい販売促進効果が見込めるようになる。
【００３６】
尚、実施例では照明装置として蛍光灯を用いたが、請求項１の発明ではそれに限らず、ＬＥＤ等の他の光源を用いても良い。また、実施例では装飾カバーを本体１や扉４に取り付けたが、係る装飾カバーを用いずに、看板３８を扉４に直接取り付けて上方に延在させるものであっても本発明は有効である。
【符号の説明】
【００３７】
Ｓ  ショーケース
Ｒ  冷却装置
１  本体
２  断熱箱体
３  陳列室
４  扉
１１  棚
２３  冷却器
２８  天面装飾カバー
３１  扉装飾カバー
３１Ａ  枠装飾部
３６  蛍光灯
３８  看板
【図１】
0005619513.tif 000002
【図２】
0005619513.tif 000003
【図３】
0005619513.tif 000004
【図４】
0005619513.tif 000005